(57)【要約】【課題】雨水が溜まることを防止すると共に、雨水によるごみや塵などの流出及び落雪を促進することができる太陽電池モジュールを提供する。【解決手段】太陽電池パネル１０の周縁部に枠体２０が配設されている。枠体２０は、太陽電池パネル１０の周縁部を表面の一部から裏面の一部にかけて覆う枠部２１を有し、枠部２１の表面内側端部には、表面が太陽電池パネル１０に向かって傾斜する傾斜部２１Ａが形成されている。傾斜部２１Ａと太陽電池パネル１０との間には、充填剤２４が挿入され、充填剤２４の内側端部は、傾斜部２１Ａと連続するように傾斜されている。【選択図】図２
0003179732.tif 000002
【実用新案登録請求の範囲】
【請求項１】
板状の太陽電池パネルと、この太陽電池パネルの周縁部に配設された枠体とを備えた太陽電池モジュールであって、
前記枠体は、前記太陽電池パネルの周縁部を表面の一部から裏面の一部にかけて覆う枠部を有し、
前記枠部の表面内側端部には、厚みが内側に向かって薄くなるように、表面が太陽電池パネルに向かって傾斜する傾斜部が形成され、
この傾斜部と前記太陽電池パネルとの間には、充填剤が挿入され、充填剤の内側端部は、厚みが内側に向かって薄くなるように、表面が傾斜部から太陽電池パネルに向かい傾斜されている
ことを特徴とする太陽電池モジュール。
【請求項２】
前記枠部と前記太陽電池パネルとの間には、太陽電池パネルの表面の一部から裏面の一部にかけて覆うように封止材が挿入され、
前記枠部は前記封止材よりも内側まで伸長して設けられており、
前記傾斜部と太陽電池パネルとの間の距離は、０．５ｍｍ以上１．５ｍｍ以下である
ことを特徴とする請求項１記載の太陽電池モジュール。
【考案の詳細な説明】
【技術分野】
【０００１】
本考案は、太陽電池パネルの側部に枠体を配した太陽電池モジュールに関する。
【背景技術】
【０００２】
図７は、従来の太陽電池モジュール１００の構成を表すものである。従来、太陽電池モジュール１００としては、例えば、強化ガラス１１１とバックシート１１２との間に太陽電池セル１１３を充填剤１１４により封止した太陽電池パネル１１０の側部をコの字型の断面形状を有する枠体１２０の凹部にはめ込んだものが知られている（例えば、特許文献１参照）。
【先行技術文献】
【特許文献】
【０００３】
【特許文献１】特開平１１−３４５９９０号
【考案の概要】
【考案が解決しようとする課題】
【０００４】
しかしながら、従来の太陽電池モジュール１００は、太陽電池パネル１１０の側部をコの字型に覆うように枠体１２０を設けていたので、太陽電池パネル１１０と枠体１２０との間に隙間ができてしまう。そのため、この隙間に雨水が溜まり、雨水の排出が妨げられて、太陽電池パネル１１０の表面に付着したごみや塵などの付着物を雨で洗い流す機能が低下してしまい、発電能力の低下を招いてしまうという問題があった。更に、隙間に雨水が溜まることにより、部材の劣化を早める原因となるという問題もあった。また、降雪地においては、太陽電池パネル１１０の表面に積もった雪が、太陽電池パネル１１０と枠体１２０との段差が抵抗となること、及び、太陽電池パネル１１０と枠体１２０との間の隙間に融雪水が溜まり凍結することにより、太陽電池パネル１１０の表面から滑り落ち難くなり、発電能力が低下してしまうという問題もあった。
【０００５】
本考案は、このような問題に基づきなされたものであり、雨水が溜まることを防止すると共に、雨水によるごみや塵などの流出及び落雪を促進することができる太陽電池モジュールを提供することを目的とする。
【課題を解決するための手段】
【０００６】
本考案の太陽電池モジュールは、板状の太陽電池パネルと、この太陽電池パネルの周縁部に配設された枠体とを備えたものであって、枠体は、太陽電池パネルの周縁部を表面の一部から裏面の一部にかけて覆う枠部を有し、枠部の表面内側端部には、厚みが内側に向かって薄くなるように、表面が太陽電池パネルに向かって傾斜する傾斜部が形成され、この傾斜部と太陽電池パネルとの間には、充填剤が挿入され、充填剤の内側端部は、厚みが内側に向かって薄くなるように、表面が傾斜部から太陽電池パネルに向かい傾斜されているものである。
【考案の効果】
【０００７】
本考案の太陽電池モジュールによれば、枠部の傾斜部と太陽電池パネルとの間に充填剤を挿入するようにしたので、枠部と太陽電池パネルとの間に雨水及び融雪水が溜まることを抑制することができる。また、充填剤の内側端部を厚みが内側に向かって薄くなるように、表面を傾斜部から太陽電池パネルに向かい傾斜させるようにしたので、雨水の排水及び落雪の際の抵抗を小さくすることができる。よって、雨水の排水及び落雪を促進することができ、ごみや塵などの付着及び積雪による発電効率の低下を抑制することができると共に、部材の劣化を抑制し、長寿命化を図ることができる。
【０００８】
また、枠部と太陽電池パネルとの間に、太陽電池パネルの表面の一部から裏面の一部にかけて覆うように封止材を挿入し、傾斜部と太陽電池パネルとの間の距離を０．５ｍｍ以上１．５ｍｍ以下とするようにすれば、より高い効果を得ることができる。
【図面の簡単な説明】
【０００９】
【図１】本考案の一実施の形態に係る太陽電池モジュールを表面から見た構成を表す図である。
【図２】図１に示したＡ−Ａ線に沿った断面図である。
【図３】従来の太陽電池モジュールの構成を表す断面図である。
【考案を実施するための形態】
【００１０】
以下、本考案の実施の形態について、図面を参照して詳細に説明する。
【００１１】
図１は本考案の一実施の形態に係る太陽電池モジュール１を表面から見た構成を表すものである。図２は、図１に示したＡ−Ａ線に沿った断面構成を表すものである。この太陽電池モジュール１は、板状の太陽電池パネル１０と、この太陽電池パネル１０の周縁部に配設され、太陽電池パネル１０を支持する枠体２０とを備えている。太陽電池パネル１０は、例えば、表側の強化ガラス１１と、裏側のバックシート１２との間に、複数の太陽電池セル１３が充填剤１４により封止されている。太陽電池パネル１０を表側から見た形状は、例えば、矩形状であり、周縁部全体に枠体２０が配設されている。
【００１２】
枠体２０は、例えば、アルミニウム等の金属により構成されている。枠体２０は、例えば、太陽電池パネル１０の周縁部を覆う枠部２１と、枠部２１の裏面側に設けられた足部２２とを有している。枠部２１は、太陽電池パネル１０の表面の一部から裏面の一部にかけて周縁部を略コの字型に覆うように形成されている。足部２２は、太陽電池パネル１０を支え、設置するためのものである。
【００１３】
枠部２１と太陽電池パネル１０との間には、例えば、ブチルテープ、ゴム系あるいは樹脂系のパッキン、又は、シリコーン樹脂などよりなる封止材２３が挿入されている。太陽電池パネル１０の端面を封止し、保護するためである。封止材２３は、太陽電池パネル１０の周縁部を表面の一部から裏面の一部にかけて略コの字型に覆うように形成されている。枠部２１は、封止材２３の全体を覆い、封止材２３よりも内側まで伸長して設けられている。
【００１４】
枠部２１の表面内側端部には、厚みが内側に向かって薄くなるように、表面が太陽電池パネル１０に向かって傾斜する傾斜部２１Ａが形成されている。雨水の排水及び落雪の際の抵抗を小さくするためである。傾斜部２１Ａの傾斜角度は、強度が問題なければ小さいほど好ましい。
【００１５】
傾斜部２１Ａと太陽電池パネル１０との間には、少なくも内側の一部に、例えば、シリコーン樹脂又は樹脂系接着剤あるいは硬化剤などよりなる充填剤２４が挿入されている。傾斜部２１Ａと太陽電池パネル１０との間の隙間に雨水や融雪水が溜まることを防止するためである。充填剤２４の内側端部は、例えば、厚みが内側に向かって薄くなるように、表面が傾斜部２１Ａから太陽電池パネル１０に向かい、傾斜部２１Ａと連続するように傾斜されている。雨水の排水及び落雪の際の抵抗をより小さくするためである。充填剤２４の傾斜角度は、傾斜部２１Ａの傾斜角度に近いことが好ましい。
【００１６】
傾斜部２１Ａと太陽電池パネル１０との間の距離Ｓは、例えば、０．５ｍｍ以上１．５ｍｍ以下程度とすることが好ましい。距離Ｓが小さいと充填剤２４を挿入することが難しく、距離Ｓが大きいと雨水の排水及び落雪の際の抵抗が大きくなるからである。この距離Ｓは、例えば、封止材２３の厚みにより調節することが可能である。
【００１７】
この太陽電池モジュール１は、例えば、太陽電池パネル１０の周縁部に封止材２３を配設し、その周りに枠体２０の枠部２１を配設したのち、傾斜部２１Ａと太陽電池パネル１０との間に傾斜部２１Ａの内側に充填剤２４を挿入し、充填剤２４の内側端部を傾斜部２１Ａと連続して傾斜するように形を整えることにより作製される。
【００１８】
このように本実施の形態によれば、枠部２１の傾斜部２１Ａと太陽電池パネル１０との間に充填剤２４を挿入するようにしたので、枠部２１と太陽電池パネル１０との間に雨水及び融雪水が溜まることを抑制することができる。また、充填剤２４の内側端部を厚みが内側に向かって薄くなるように、表面を傾斜部２１Ａから太陽電池パネル１０に向かい傾斜させるようにしたので、雨水の排水及び落雪の際の抵抗を小さくすることができる。よって、雨水の排水及び落雪を促進することができ、ごみや塵などの付着及び積雪による発電効率の低下を抑制することができると共に、部材の劣化を抑制し、長寿命化を図ることができる。
【００１９】
また、枠部２１と太陽電池パネル１０との間に、太陽電池パネル１０の表面の一部から裏面の一部にかけて覆うように封止材２３を挿入し、傾斜部２１Ａと太陽電池パネル１０との間の距離Ｓを０．５ｍｍ以上１．５ｍｍ以下とするようにすれば、より高い効果を得ることができる。
【実施例】
【００２０】
上述した太陽電池モジュール１を作製し、落雪の実証実験を行った。具体的には、矩形状の太陽電池パネル１０の周縁部に表面の一部から裏面の一部にかけて覆うように封止材２３を配設し、更に、封止材２３を覆うように枠体２０の枠部２１を配設し、封止材２３よりも内側まで枠部２１を伸長させた。枠部２１の表面内側端部には傾斜部２１Ａを形成し、傾斜部２１Ａと太陽電池パネル１０との間に充填剤２４を挿入し、充填剤２４の内側端部を傾斜部２１Ａと連続して傾斜するように形を整えた。作製した太陽電池モジュール１について、設置角度３０度で野外に南向きに設置し、落雪の状況を観察した。
【００２１】
また、本実施例に対する比較例として、傾斜部と太陽電池パネルとの間に充填剤を挿入しないことを除き、他は本実施例の太陽電池モジュール１と同様の構成を有する太陽電池モジュールを作製し、本実施例の太陽電池モジュール１と並べて、設置角度３０度で野外に南向きに設置し、落雪の状況を観察した。
【００２２】
観察は、太陽電池パネル１０に雪が積もった日の朝８時から夕方１６時まで行った。観察結果を表１に示す。表１に示したように、本実施例によれば、９時３０分には、太陽電池パネル１０から略落雪し、全面が露出されたのに対して、比較例では、略全面に積雪したままであった。また、１４時３０分においても、本実施例によれば、太陽電池パネル１０の略全面が露出した状態であったのに対して、比較例では、下１／３程度に雪が残ったままであった。すなわち、本実施例の太陽電池モジュール１によれば、落雪を大幅に促進することができることが分かった。
【００２３】
【表１】
0003179732.tif 000003
【００２４】
以上、実施の形態及び実施例を挙げて本考案を説明したが、本考案は上記実施の形態及び実施例に限定されるものではなく、種々変形可能である。例えば、上記実施の形態では、太陽電池パネル１０及び枠体２０の構成について具体的に説明したが、他の構成を有するようにしてもよい。
【産業上の利用可能性】
【００２５】
太陽電池モジュールに用いることができる。
【符号の説明】
【００２６】
１…太陽電池モジュール、１０…太陽電池パネル、１１…強化ガラス、１２…バックシート、１３…太陽電池セル、１４…充填剤、２０…枠体、２１…枠部、２１Ａ…傾斜部、２２…足部、２３…封止材、２４…充填剤
【図１】
0003179732.tif 000004
【図２】
0003179732.tif 000005
【図３】
0003179732.tif 000006